(57)【要約】【課題】ニオイを用いて睡眠又は起床を促進する装置を提供する。【解決手段】ニオイ調整装置１００は、睡眠時に用いられる空気供給装置であって、ファンユニット３０と、睡眠状態判定部７４（コントローラ７０）と、ニオイ調整ユニット４０と、を備える。ファンユニット３０は、睡眠者ＰＳの顔周辺に空気を供給する。睡眠状態判定部７４は、睡眠者ＰＳがレム睡眠状態にあるか否かを特定する睡眠状態情報を、生体情報に基づき抽出して取得する。ニオイ調整ユニット４０は、コントローラ７０によって制御され、ファンユニット３０によって供給される空気のニオイを調整する（ニオイを除去する又は香りを付与する）。ニオイ調整ユニット４０は、睡眠状態判定部７４が取得した睡眠状態情報に基づいて、睡眠者ＰＳの睡眠又は覚醒が促進されるように、ファンユニット３０から供給される空気のニオイを調整する。【選択図】図１
2018075290.tif 000002
【特許請求の範囲】
【請求項１】
睡眠時に用いられる空気供給装置（１００）であって、
睡眠者（ＰＳ）の顔周辺に空気を供給する空気供給部（３０、７０、Ｄ１）と、
睡眠者がレム睡眠状態にあるか否かを特定する睡眠状態情報を取得する睡眠状態情報取得部（７４）と、
前記空気供給部によって供給される空気のニオイを調整するニオイ調整部（４０）と、
を備え、
前記ニオイ調整部は、前記睡眠状態情報取得部が取得した前記睡眠状態情報に基づいて、前記睡眠者の睡眠又は覚醒が促進されるように、前記空気供給部によって供給される空気（ＡＦ）のニオイを調整する、
空気供給装置（１００）。
【請求項２】
前記ニオイ調整部は、前記空気供給部によって供給される空気のニオイを除去するニオイ除去部（４５）を含む、
請求項１に記載の空気供給装置（１００）。
【請求項３】
前記ニオイ調整部は、前記睡眠者がレム睡眠状態にある場合に、前記睡眠者の睡眠が促進されるように、前記ニオイ除去部により前記空気供給部によって供給される空気のニオイを除去する、
請求項２に記載の空気供給装置（１００）。
【請求項４】
前記ニオイ調整部は、前記空気供給部によって供給される空気に香りを付与する香り付与部（５０）を含む、
請求項１から３のいずれか１項に記載の空気供給装置（１００）。
【請求項５】
前記ニオイ調整部は、前記睡眠者がレム睡眠状態にある場合に、前記香り付与部により前記空気供給部によって供給される空気に香りを付与する、
請求項４に記載の空気供給装置（１００）。
【請求項６】
睡眠者が起床する予定時刻である起床予定時刻を取得する起床時刻取得部（７２、８０）をさらに備え、
前記ニオイ調整部は、前記起床予定時刻から現在時刻を減じた時間が第１閾値（ΔＴｈ１）以下となった場合に、前記睡眠者の覚醒が促進されるように、前記香り付与部により前記空気供給部によって供給される空気に香りを付与する、
請求項４又は５に記載の空気供給装置（１００）。
【請求項７】
前記睡眠状態情報は、睡眠者がノンレム睡眠状態にあるか否かを特定する情報を含み、
前記ニオイ調整部は、前記睡眠者がノンレム睡眠状態にある時に、前記香り付与部によって付与される香りの濃度を、前記睡眠者がレム睡眠状態にある時よりも大きくする、
請求項６に記載の空気供給装置（１００）。
【請求項８】
前記睡眠者の前記香りに対する感度の経時的な変化の度合いを判定する嗅覚疲労判定部（７７）をさらに備え、
前記ニオイ調整部は、前記嗅覚疲労判定部の判定結果に基づき、前記香り付与部において付与する香りの濃度を調整する、
請求項５から７のいずれか１項に記載の空気供給装置（１００）。
【請求項９】
前記空気供給部は、駆動することで空気流を生成する送風機（３１）を含み、前記睡眠状態情報又は前記睡眠者の周囲におけるニオイの状態に基づき、前記送風機の回転数を制御する、
請求項１から８のいずれか１項に記載の空気供給装置（１００）。
【請求項１０】
前記睡眠状態情報を取得するための前記睡眠者の生体情報を検出する生体センサ（６０）をさらに備える、
請求項１から９のいずれか１項に記載の空気供給装置（１００）。
【請求項１１】
前記睡眠者の頭部を支持する枕部（１０）をさらに備え、
前記枕部には、前記空気供給部によって供給される空気が流出する空気供給口（１２）が形成される、
請求項１から１０のいずれか１項に空気供給装置（１００）。
【発明の詳細な説明】
【技術分野】
【０００１】
本発明は、空気供給装置に関する。
【背景技術】
【０００２】
従来、生体センサにより取得した生体情報に基づき、睡眠者の睡眠段階を特定する方法が知られている。例えば、特許文献１（特許４３９０５３５号公報）には、流速センサ、赤外線カメラ、及びマイク等の生体センサを用いて得られる、睡眠者の心拍、呼吸、いびき、又は体動等の生体情報に基づき、所定の計算式やアルゴリズムを用いて睡眠者の睡眠段階を特定する睡眠段階推定装置が開示されている。特許文献１では、睡眠段階推定装置と空気調和機、オーディオ機器又は目覚まし機器等の各種機器とが電気的に接続され、生体情報が検出されない時（すなわち睡眠者が不在の時）に、係る各種機器の動作を停止等させることで、省エネルギーが図られている。
【発明の概要】
【発明が解決しようとする課題】
【０００３】
昨今、リラクゼーション効果や覚醒効果等、人間が知覚するニオイによって人体に与えられる影響が知られるようになってきた。この点、特許文献１では、睡眠者が不在のときに各種機器（例えば脱臭機器及び香り発生器）の動作を停止する又は出力を弱めることで省エネルギーを図る思想について開示されている一方で、睡眠者が知覚するニオイが睡眠導入・維持又は覚醒に作用する点を考慮した思想については特に開示されていない。すなわち、特許文献１では、睡眠者が知覚するニオイに関し、睡眠段階に応じて快適な睡眠又は起床を促進する点については何ら考慮されていない。
【０００４】
そこで、本発明の課題は、ニオイを用いて睡眠又は起床を促進する装置を提供することである。
【課題を解決するための手段】
【０００５】
本発明の第１観点に係る空気供給装置は、睡眠時に用いられる空気供給装置であって、空気供給部と、睡眠状態情報取得部と、ニオイ調整部と、を備える。空気供給部は、睡眠者の顔周辺に空気を供給する。ここでの「睡眠者」には、睡眠状態にある者、及び睡眠状態に入るべく就寝状態にある者が含まれる。睡眠状態情報取得部は、睡眠状態情報を取得する。睡眠状態情報は、睡眠者がレム睡眠状態にあるか否かを特定する情報である。ニオイ調整部は、空気供給部によって供給される空気のニオイを調整する。ニオイ調整部は、睡眠状態情報取得部が取得した睡眠状態情報に基づいて、睡眠者の睡眠又は覚醒が促進されるように、空気供給部によって供給される空気のニオイを調整する。ここでの「ニオイを調整する」ことには、例えば脱臭フィルタや消臭剤等のニオイ除去手段によってニオイを除去すること、又は芳香剤やディフューザ等の香り付与手段によって香りを付与することが含まれる。
【０００６】
本発明の第１観点に係る空気供給装置では、ニオイ調整部は、睡眠状態情報取得部が取得した睡眠状態情報に基づいて、睡眠者の睡眠又は覚醒が促進されるように、空気供給部によって供給される空気のニオイを調整する。すなわち、睡眠状態情報に基づいて、睡眠又は覚醒が促進されるように、睡眠者の顔周辺の空気のニオイが調整される。これにより、睡眠又は覚醒を促進するニオイを睡眠者に対して供給すること、又は睡眠者の睡眠又は覚醒を阻害するニオイを睡眠者の顔周辺から除去することが可能となる。よって、睡眠者の快適な睡眠又は起床が促進される。
【０００７】
本発明の第２観点に係る空気供給装置は、第１観点に係る空気供給装置であって、ニオイ調整部は、ニオイ除去部を含む。ここでの「ニオイ除去部」は、例えば、脱臭フィルタ、消臭剤、又は脱臭効果のあるイオンを生じさせるイオン発生器等、脱臭機能を有するユニットである。ニオイ除去部は、空気供給部によって供給される空気のニオイを除去する。これにより、睡眠状態情報に基づいて、睡眠又は覚醒が促進されるように、睡眠者の顔周辺に送られる空気のニオイが除去される。その結果、睡眠者の睡眠又は覚醒を阻害するニオイを除去することが可能となる。よって、睡眠者の快適な睡眠又は起床が促進される。
【０００８】
本発明の第３観点に係る空気供給装置は、第２観点に係る空気供給装置であって、ニオイ調整部は、睡眠者がレム睡眠状態にある場合に、睡眠者の睡眠が促進されるように、ニオイ除去部により、空気供給部によって供給される空気のニオイを除去する。これにより、睡眠者が、知覚するニオイに因って睡眠が阻害されやすいレム睡眠状態にある場合に、睡眠を阻害するニオイを睡眠者の顔周辺から除去することが可能となる。よって、睡眠者の快適な睡眠が特に促進される。
【０００９】
本発明の第４観点に係る空気供給装置は、第１観点から第３観点のいずれかに係る空気供給装置であって、ニオイ調整部は、香り付与部を含む。ここでの「香り付与部」は、例えば、香り成分を含む固体、液状や半固体状の香料によって空気供給部によって供給される空気に香りを付与する機能を有するユニットであり、香料を蒸発・拡散させる加熱部や超音波の振動により微粒子にしてミスト状に拡散させる超音波発生部を有するもの等も含まれる。香り付与部は、空気供給部によって供給される空気に香りを付与する。これにより、睡眠状態情報に基づいて、睡眠又は覚醒が促進されるように、睡眠者の顔周辺に送られる空気に香りが付与される。その結果、睡眠者の睡眠状態に応じて、睡眠又は覚醒を促進するニオイを睡眠者に供給することが可能となる。よって、睡眠者の快適な睡眠又は起床が促進される。
【００１０】
本発明の第５観点に係る空気供給装置は、第４観点に係る空気供給装置であって、ニオイ調整部は、睡眠者がレム睡眠状態にある場合に、香り付与部により、空気供給部によって供給される空気に香りを付与する。これにより、睡眠者が覚醒しやすいレム睡眠状態にある場合に、睡眠を促進するニオイを睡眠者に供給することが可能となる。よって、睡眠者の快適な睡眠が特に促進される。また、睡眠者が覚醒しやすいレム睡眠状態にある場合に、覚醒効果の高いニオイを睡眠者に供給することが可能となる。よって、睡眠者の快適な起床が特に促進される。
【００１１】
本発明の第６観点に係る空気供給装置は、第４観点又は第５観点に係る空気供給装置であって、起床時刻取得部をさらに備える。起床時刻取得部は、起床予定時刻を取得する。起床予定時刻は、睡眠者が起床する予定時刻である。ニオイ調整部は、起床予定時刻から現在時刻を減じた時間が第１閾値以下となった場合に、睡眠者の覚醒が促進されるように、香り付与部により、空気供給部によって供給される空気に香りを付与する。
【００１２】
これにより、起床予定時刻となった場合又は起床予定時刻に近づいた場合であって、睡眠者が覚醒しやすいレム睡眠状態にある時に、覚醒が促進されるように睡眠者の顔周辺に送られる空気に香りが付与される。その結果、起床予定時刻に合わせて、睡眠者が覚醒しやすいタイミングで覚醒効果の高いニオイを睡眠者に供給することが可能となる。よって、睡眠者の起床予定時刻に応じて睡眠者の快適な起床が特に促進される。
【００１３】
本発明の第７観点に係る空気供給装置は、第６観点に係る空気供給装置であって、睡眠状態情報は、睡眠者がノンレム睡眠状態にあるか否かを特定する情報を含む。ニオイ調整部は、睡眠者がノンレム睡眠状態にある時に、香り付与部によって付与される香りの濃度を睡眠者がレム睡眠状態にある時よりも大きくする。
【００１４】
これにより、睡眠者が覚醒しにくいノンレム睡眠状態にある時に、睡眠者の顔周辺に送られる空気に関して、睡眠者がレム睡眠状態にある時よりも香りの濃度が大きくなる（すなわちニオイが強くなる）ように調整される。その結果、睡眠者が覚醒しにくいノンレム睡眠状態にある時にも、睡眠者の覚醒を促進することが可能となる。
【００１５】
本発明の第８観点に係る空気供給装置は、第５観点から第７観点のいずれかに係る空気供給装置であって、嗅覚疲労判定部をさらに備える。嗅覚疲労判定部は、睡眠者の香りに対する感度の経時的な変化の度合いを判定する。ニオイ調整部は、嗅覚疲労判定部の判定結果に基づき、香り付与部において付与する香りの濃度を調整する。
【００１６】
これにより、睡眠者の香りに対する感度の経時的な変化（具体的にはニオイに対する慣れ）を加味して香り付与部において付与する香りの濃度が調整される。その結果、睡眠者の顔周辺に送られる空気の香り（ニオイ）に関して、睡眠者が時間経過に伴い慣れ知覚しにくい状態となることが抑制される。よって、睡眠者の快適な睡眠又は起床が精度よく促進される。
【００１７】
本発明の第９観点に係る空気供給装置は、第１観点から第８観点のいずれかに係る空気供給装置であって、空気供給部は、送風機を含む。送風機は、駆動することで空気流を生成する。空気供給部は、睡眠状態情報又は睡眠者の周囲におけるニオイの状態に基づき、送風機の回転数を制御する。
【００１８】
これにより、睡眠状態情報又は睡眠者の周囲におけるニオイの状態に基づき、睡眠者の顔周辺に送られる、ニオイ調整された空気の流量を調整することが可能となる。その結果、睡眠者の顔周辺に送られる空気のニオイの程度を、状況に応じて適宜調整することが可能となる。よって、睡眠者の快適な睡眠又は起床が精度よく促進される。
【００１９】
本発明の第１０観点に係る空気供給装置は、第１観点から第９観点のいずれかに係る空気供給装置であって、生体センサをさらに備える。生体センサは、睡眠状態情報を取得するための睡眠者の生体情報を検出するセンサである。ここでの「生体情報」は、例えば、睡眠者のいびき、呼吸、心拍、体温又は体動等を特定する情報である。また、「生体センサ」は、カメラ、マイク、温度センサ、圧力センサ、ドップラーセンサ又は速度センサ等である。
【００２０】
これにより、睡眠者の生体情報に基づき、睡眠状態情報が取得される。その結果、精度の高い睡眠状態情報を取得可能となる。これに関連して、睡眠者の睡眠状態に応じて、睡眠者の顔周辺に送られる空気のニオイを目的に沿って高精度に調整することが可能となる。よって、睡眠者の快適な睡眠又は起床が精度よく促進される。
【００２１】
本発明の第１１観点に係る空気供給装置は、第１観点から第１０観点のいずれかに係る空気供給装置であって、枕部をさらに備える。枕部は、睡眠者の頭部を支持する。枕部には、空気供給口が形成される。空気供給口からは、空気供給部によって供給される空気が流出する。これにより、睡眠時に一般的に用いられる枕から、ニオイ調整された空気を睡眠者の顔周辺に供給することが可能となる。よって、汎用性又は利便性が向上する。
【発明の効果】
【００２２】
本発明の第１観点に係る空気供給装置では、睡眠又は覚醒を促進するニオイを睡眠者に対して供給すること、又は睡眠者の睡眠又は覚醒を阻害するニオイを睡眠者の顔周辺から除去することが可能となる。よって、睡眠者の快適な睡眠又は起床が促進される。
【００２３】
本発明の第２観点に係る空気供給装置では、睡眠者の快適な睡眠又は起床が促進される。
【００２４】
本発明の第３観点に係る空気供給装置では、睡眠者の快適な睡眠が特に促進される。
【００２５】
本発明の第４観点に係る空気供給装置では、睡眠者の快適な睡眠又は起床が促進される。
【００２６】
本発明の第５観点に係る空気供給装置では、睡眠者の快適な起床が特に促進される。
【００２７】
本発明の第６観点に係る空気供給装置では、睡眠者の起床予定時刻に応じて睡眠者の快適な起床が特に促進される。
【００２８】
本発明の第７観点に係る空気供給装置では、睡眠者が覚醒しにくいノンレム睡眠状態にある時にも、睡眠者の覚醒を促進することが可能となる。
【００２９】
本発明の第８観点、第９観点、又は第１０観点に係る空気供給装置では、睡眠者の快適な睡眠又は起床が精度よく促進される。
【００３０】
本発明の第１１観点に係る空気供給装置では、汎用性又は利便性が向上する。
【図面の簡単な説明】
【００３１】
【図１】ニオイ調整装置の概略構成図。
【図２】枕部の一例を示した模式図。
【図３】枕部の他の一例を示した模式図。
【図４】本体ケーシング内における各機器の配置態様、並びに形成される空気流路の一例について概略的に示した模式図。
【図５】本体ケーシング内における各機器の配置態様、並びに形成される空気流路の他の一例について概略的に示した模式図。
【図６】本体ケーシング内における各機器の配置態様、並びに形成される空気流路の他の一例について概略的に示した模式図。
【図７】本体ケーシング内において空気流の流れる態様を示した模式図。
【図８】コントローラの概略構成及びコントローラに接続される機能部を概略的に示した模式図。
【図９】状況毎の制御モードの切替えを定義したモードテーブルの一例を示した模式図。
【図１０】状況毎のアクチュエータ制御部の処理を定義した処理テーブルの一例を示した模式図。
【図１１】運転中、コントローラによって行われる各アクチュエータの制御の流れの一例について示したフローチャート。
【図１２】運転中、コントローラによって行われる各アクチュエータの制御の流れの一例について示したフローチャート。
【図１３】変形例Ｂに係る香りカプセル補充容器を含むニオイ調整装置の概略構成図。
【発明を実施するための形態】
【００３２】
以下、本発明の一実施形態に係るニオイ調整装置１００（空気供給装置）について説明する。なお、以下の実施形態は、本発明の具体例であって、本発明の技術的範囲を限定するものではなく、本発明の趣旨を逸脱しない範囲で適宜変更可能である。
【００３３】
（１）ニオイ調整装置１００の概要
図１は、ニオイ調整装置１００の概略構成図である。ニオイ調整装置１００は、主として、睡眠状態或いは就寝状態にあるユーザ（睡眠者ＰＳ）の睡眠時に用いられ、睡眠者ＰＳの顔周辺のニオイを調整する装置である。具体的に、ニオイ調整装置１００は、睡眠者ＰＳの顔周辺の空気のニオイを除去する、又は睡眠者ＰＳの顔周辺の空気に香りを付与することで、睡眠者ＰＳの顔周辺のニオイを調整し、睡眠者ＰＳの睡眠又は覚醒を促進する。
【００３４】
ニオイ調整装置１００の使用環境については特に限定されないが、例えば、住居等のプライベート空間や、オフィスや休憩室等、外出先において休憩可能な空間で使用される。特に、ニオイ調整装置１００は持ち運び可能であり、飛行機・電車・バス等の交通機関内での移動中における使用についても想定される。ニオイ調整装置１００の駆動電源については、例えばコンセントを介して供給される商用電源や、内蔵される或いは外部に配置される電池やバッテリー等の蓄電部から供給される。
【００３５】
（２）ニオイ調整装置１００の詳細
ニオイ調整装置１００は、主として、枕部１０と、本体ケーシング２０と、ファンユニット３０と、ニオイ調整ユニット４０と、生体センサ６０と、ニオイセンサ６５と、コントローラ７０と、入力部８０と、表示部９０と、を有している。ファンユニット３０、ニオイ調整ユニット４０及びコントローラ７０は、本体ケーシング２０内に配置されている（図４−６を参照）。生体センサ６０及びニオイセンサ６５は、枕部１０内に配置されている（図２及び図３を参照）。枕部１０と本体ケーシング２０とは、空気流路を形成する部材であるダクトＤ１と、生体センサ６０及びニオイセンサ６５とコントローラ７０とを電気的に接続するための配線Ｃ１と、で接続されている。ダクトＤ１は、例えば合成樹脂等、可撓性を有する素材で構成される。配線Ｃ１は、金属製の導体が絶縁体で被覆されたものである。
【００３６】
（２−１）枕部１０
図２又は図３は枕部１０の一例を示した模式図である。枕部１０は、睡眠者ＰＳの頭部（特に首周辺部分、又は顔若しくは頭部分）を支持するユニットである。枕部１０の型式については特に限定されないが、例えば図１及び図２に示されるような、寝台や床に置かれた状態で睡眠者ＰＳの頭部を載置される置き型枕である。或いは、枕部１０は、例えば図３に示されるような、睡眠者ＰＳの首周辺に巻きつけられた状態で睡眠者ＰＳの頭部を支持するネックピロー型等である。
【００３７】
枕部１０は、睡眠者ＰＳの頭部を支持可能な寸法の外形を有している。枕部１０は、クッション性や弾性を有する物質（例えば、ゴムやスポンジ等の合成樹脂、空気やジェル等の流体、若しくは木材や穀物等の自然素材等）を内包している。枕部１０の型や内包される物質については使用環境や設計仕様に応じて適宜選定される。
【００３８】
枕部１０の外面には、ファンユニット３０によって供給される空気流ＡＦ（後述）を流入させるための給気口１１が形成されている。給気口１１にはダクトＤ１の一端が接続されており、給気口１１は、ダクトＤ１を介して本体ケーシング２０の排気口２２（後述）と連通している。
【００３９】
また、枕部１０の外面には、給気口１１から流入した空気流ＡＦを流出させるための送風口１２（特許請求の範囲記載の「空気供給口」に相当）が複数（ここでは３つ）形成されている。送風口１２は、ファンユニット３０が駆動することによって生成される空気流ＡＦを、睡眠者ＰＳの顔周辺に供給するための開口として機能する。
【００４０】
また、枕部１０の内部には、給気口１１と送風口１２とを連通させる空気流路１３が形成されている。これにより、給気口１１から流入した空気流ＡＦは、空気流路１３を経て送風口１２から流出するようになっている。
【００４１】
また、枕部１０の外面には、配線Ｃ１を貫通するための貫通口１４が形成されている。
【００４２】
（２−２）本体ケーシング２０
図４、図５及び図６は、本体ケーシング２０内における各機器の配置態様、並びに形成される空気流路２３の一例について概略的に示した模式図である。
【００４３】
本体ケーシング２０は、ファンユニット３０、ニオイ調整ユニット４０及びコントローラ７０を収容する筐体である。本体ケーシング２０の寸法は、使用環境や設計仕様に応じて適宜決定され、ファンユニット３０、ニオイ調整ユニット４０及びコントローラ７０を収容するのに適した容量を有しつつ、コンパクトな外形を実現する寸法に構成される。
【００４４】
本体ケーシング２０には、ファンユニット３０が駆動することによって生成される空気流ＡＦを流入させるための吸込口２１、及び吸込口２１を介して流入した空気流ＡＦを流出させるための排気口２２が形成されている。排気口２２にはダクトＤ１の他端が接続されている。
【００４５】
また、本体ケーシング２０には、吸込口２１と排気口２２とを連通させる空気流路２３が形成されている。空気流路２３は、互いに仕切られた第１空気流路２３１及び第２空気流路２３２を含んでいる。第２空気流路２３２上にはニオイ調整ユニット４０の香り付加ユニット５０（後述）が配置されている。第１空気流路２３１は、香り付加ユニット５０とは隔離されている。
【００４６】
本体ケーシング２０には、第１空気流路２３１と第２空気流路２３２とを仕切るための仕切板２４と、ダンパ２５と、が配置されている。仕切板２４及びダンパ２５は、例えば合成樹脂や金属で構成される部材であり、本体ケーシング２０の底面から天面にかけて、或いは側面の一面から対向する他の側面にかけて延びている。延びている。
【００４７】
ダンパ２５は、水平方向或いは鉛直方向から見て弧を描くように移動可能に、仕切板２４に固定されている。ダンパ２５は、例えばステッピングモータ等で構成されるダンパモータ（図示省略）を含み、ダンパモータの駆動に連動して、第１空気流路２３１及び第２空気流路２３２の開通及び遮断を切り替えるように位置が切り換わる。
【００４８】
ダンパ２５の動作は、コントローラ７０によって制御される。ダンパ２５は、空気流ＡＦに対して、第１空気流路２３１を開通させるとともに第２空気流路２３２を遮断させる第１状態（図４参照）と、第１空気流路２３１及び第２空気流路２３２を共に開通させる第２状態（図５参照）と、第１空気流路２３１を遮断させるとともに第２空気流路２３２を遮断させる第３状態（図６参照）と、を切り換えられる。
【００４９】
（２−３）ファンユニット３０（空気供給部）
ファンユニット３０は、睡眠者ＰＳの顔周辺に送られる空気流ＡＦを生成するユニットである。具体的に、空気流ＡＦは、吸込口２１から本体ケーシング２０に流入し空気流路２３を経て排気口２２から流出した後、ダクトＤ１を通過して、給気口１１から枕部１０内に流入し空気流路１３を経て送風口１２から流出する空気の流れである。
【００５０】
ファンユニット３０は、空気流ＡＦを生成する送風ファン３１（特許請求の範囲記載の「送風機」に相当）を有している。送風ファン３１は、特に限定されないが、本実施形態ではシロッコファンやターボファン等の遠心ファンである。但し、送風ファン３１は、プロペラファン等の他のファンであってもよい。送風ファン３１は、ファンロータ３２と、ファンモータ３３と、を含んでいる。ファンロータ３２は、ファンモータ３３の出力軸に接続されており、ファンモータ３３に連動して回転する。
【００５１】
ファンユニット３０は、コントローラ７０によってファンモータ３３の回転数を状況に応じて制御され、ファンモータ３３の回転数に応じた風量の空気流ＡＦを生成する。本実施形態において、ファンユニット３０によって生成される空気流ＡＦの風量は、弱・中・強の３段階で切り換えられる。特に、本実施形態において、ファンユニット３０は、睡眠者ＰＳの睡眠状態情報（後述）及び睡眠者ＰＳ周辺のニオイレベル（後述）の状態に基づいて、回転数を調整される。なお、ファンユニット３０は、ダクトＤ１及びコントローラ７０とともに特許請求の範囲記載の「空気供給部」を構成する。
【００５２】
（２−４）ニオイ調整ユニット４０
ニオイ調整ユニット４０（特許請求の範囲記載の「ニオイ調整部」に相当）は、ファンユニット３０によって生成された空気流ＡＦのニオイを調整する。ニオイ調整ユニット４０は、空気清浄ユニット４５と、香り付加ユニット５０と、を含んでいる。
【００５３】
（２−４―１）空気清浄ユニット４５
空気清浄ユニット４５（特許請求の範囲記載の「ニオイ除去部」に相当）は、空気流ＡＦに含まれる塵埃及びニオイを除去し、空気流ＡＦの清浄化及び脱臭を行うためのユニットである。空気清浄ユニット４５は、空気流ＡＦの流れ方向から見て、香り付加ユニット５０の上流側に配置されている。
【００５４】
空気清浄ユニット４５は、空気流ＡＦに含まれる塵埃を除去するための空気清浄フィルタ（より詳細には、プレフィルタ４６及びＨＥＰＡフィルタ４７（High Efficiency Particulate Air Filter））を有している（図７参照）。プレフィルタ４６は、空気流ＡＦに含まれる大きな塵埃を取り除くフィルタである。ＨＥＰＡフィルタ４７は、プレフィルタ４６よりも目の細かいフィルタであり、プレフィルタ４６によって除去できない微細な塵埃を取り除く。
【００５５】
また、空気清浄ユニット４５は、空気流ＡＦに含まれるニオイを除去するための脱臭エレメント４８を含んでいる（図７参照）。脱臭エレメント４８は、通気性を有する袋またはケース内に、活性炭などの消臭部材を充填された部材である。脱臭エレメント４８は、通過される空気流ＡＦに含まれるニオイ成分やホルムアルデヒド等を吸着或いは分解する。
【００５６】
（２−４−２）香り付加ユニット５０
香り付加ユニット５０（特許請求の範囲記載の「香り付与部」に相当）は、空気流ＡＦに香りを付与するためのユニットである。香り付加ユニット５０は、所定容量のユニットケーシング５１を含み、ユニットケーシング５１内に所定量の香りカプセル５２を収容している。香りカプセル５２は、香り成分を有する物質がカプセル状に成形されたものである。本実施形態において、ユニットケーシング５１内には、覚醒を促進する香り成分を有する香りカプセル５２が充填されている。覚醒を促進する香り成分としては、特に限定されないが、例えばミント、ジャスミン、柑橘類及びシナモン等、覚醒作用のある香りである。
【００５７】
香り付加ユニット５０には、香りカプセル５２に含まれる香りを放出する香り放出穴（図示省略）が形成されている。第２空気流路２３２を通過する空気流ＡＦ（第２空気流ＡＦ２）は、香り放出穴から放出された香り成分を含んで下流側へと流れる。
【００５８】
（２−５）生体センサ６０、ニオイセンサ６５
生体センサ６０は、睡眠状態情報を取得するために必要となる睡眠者ＰＳの生体情報を検出するためのセンサである。生体情報は、睡眠者ＰＳの睡眠段階を特定するための情報であり、睡眠状態情報を抽出するうえでベースとなる情報である。生体情報は、特に限定されないが、例えば、睡眠者ＰＳのいびき、呼吸、心拍、体温又は体動等を特定する情報である。生体センサ６０は、検出するべき睡眠者ＰＳの生体情報に合わせて選択され、例えばカメラ、マイク、温度センサ、圧力センサ、ドップラーセンサ又は速度センサ等である。生体センサ６０は、使用環境や設計仕様に応じて適宜選択される。生体センサ６０は、コントローラ７０と電気的に接続されており、検出結果に相当する信号をコントローラ７０に対して適宜出力する。
【００５９】
ニオイセンサ６５は、睡眠者ＰＳの顔周辺付近のニオイのレベル（ニオイレベル）を検出するためのセンサである。本実施形態において、ニオイセンサ６５は、公知の汎用品が用いられる。ニオイセンサ６５は、コントローラ７０と電気的に接続されており、検出結果に相当する信号をコントローラ７０に対して適宜出力する。本実施形態において、ニオイレベルは小・中・大の３段階が設定されており、ニオイセンサ６５は、検出結果に応じてニオイレベルを特定する信号を出力する。
【００６０】
（２−６）コントローラ７０
コントローラ７０は、ニオイ調整装置１００の動作を制御するためのユニットである。コントローラ７０は、ＲＡＭやＲＯＭ等のメモリや、ＣＰＵ（Central Processing Unit）等で構成されるマイクロコンピュータを含み、プリント基板に実装されている。コントローラ７０の詳細については、後述の「（４）コントローラ７０の詳細」において説明する。
【００６１】
（２−７）入力部８０
入力部８０は、ユーザ（睡眠者ＰＳ）が所定のコマンドを入力するためのユーザインターフェースである。例えば、入力部８０は、ニオイ調整装置１００の発停に係るコマンドを入力される。また、例えば、入力部８０は、ユーザが起床する予定時刻（起床予定時刻）を入力するためのコマンドを入力される。入力部８０は、ユーザに押下される入力キー（図示省略）を含む。入力部８０は、入力キーが外部に露出する態様で本体ケーシング２０に内蔵されている。
【００６２】
（２−８）表示部９０
表示部９０は、ユーザ（睡眠者ＰＳ）に対して所定の情報を出力するためのユーザインターフェースである。例えば、表示部９０は、ニオイ調整装置１００の発停に係る情報を表示する。また、例えば、表示部９０は、ユーザによって入力された起床予定時刻を表示する。表示部９０は、ユーザに情報を出力するための液晶表示部やＬＥＤランプを含み、これらが外部に露出する態様で本体ケーシング２０に内蔵されている。
【００６３】
（３）空気流ＡＦの流れる態様
図７は、本体ケーシング２０内において空気流ＡＦの流れる態様を示した模式図である。図７に示されるように、空気流ＡＦは、第１空気流路２３１を通過する第１空気流ＡＦ１と、第２空気流路２３２（香り付加ユニット５０）を通過する第２空気流ＡＦ２と、を含む。
【００６４】
第１空気流ＡＦ１は、ニオイ調整ユニット４０の空気清浄ユニット４５を通過して塵埃及びニオイを除去された後、ニオイ調整ユニット４０の香り付加ユニット５０をバイパスしてファンユニット３０のファンロータ３２に吸い込まれて排気口２２へと向かう空気の流れである。第１空気流ＡＦ１は、ダンパ２５が第１状態又は第２状態にある場合に生成される。
【００６５】
第２空気流ＡＦ２は、ニオイ調整ユニット４０の空気清浄ユニット４５を通過して塵埃及びニオイを除去された後、ニオイ調整ユニット４０の香り付加ユニット５０を通過して香りを付与されてから、ファンユニット３０のファンロータ３２に吸い込まれて排気口２２へと向かう空気の流れである。第２空気流ＡＦ２は、ダンパ２５が第２状態又は第３状態にある場合に生成される。
【００６６】
すなわち、ファンユニット３０によって生成される空気流ＡＦは、ダンパ２５が第１状態、第２状態及び第３状態のいずれの状態にある場合でも（すなわち、第１空気流路２３１及び第２空気流路２３２のいずれを通過する場合でも）、ニオイ調整ユニット４０の空気清浄ユニット４５を通過して塵埃及びニオイを除去され清浄化された状態で枕部１０側へと送られる。一方で、空気流ＡＦは、ダンパ２５が第１状態にある場合（すなわち、第１空気流路２３１を通過する場合）には、香り付加ユニット５０をバイパスして香り成分を含まない状態で枕部１０側へと送られる。空気流ＡＦは、ダンパ２５が第２状態又は第３状態にある場合（すなわち、第２空気流路２３２を通過する場合）には、香り付加ユニット５０を通過して香り成分を含んだ状態で枕部１０側へと送られる。なお、ダンパ２５が第３状態にある場合（すなわち、空気流ＡＦが第１空気流路２３１を通過しない場合）には、第２状態にある場合（すなわち、空気流ＡＦが第１空気流路２３１及び第２空気流路２３２の双方を通過する場合）と比較して、より多くの香り成分を含んだ状態で枕部１０側へと送られることとなり、空気流ＡＦに含まれるニオイ成分の濃度が大きくなる。
【００６７】
（４）コントローラ７０の詳細
図８は、コントローラ７０の概略構成及びコントローラ７０に接続される機能部を概略的に示した模式図である。コントローラ７０は、ダンパ２５、ファンユニット３０、生体センサ６０、入力部８０、及び表示部９０と所定のインターフェースを介して電気的に接続されており、互いに信号の送受信を行っている。
【００６８】
コントローラ７０は、複数の制御モードを有しており、状況に応じていずれかの制御モードに遷移し所定の処理を実行する。本実施形態において、コントローラ７０は、制御モードとして、第１制御モード、第２制御モード、第３制御モード及び第４制御モードを有している。
【００６９】
コントローラ７０は、主として、記憶部７１、入力制御部７２、時刻管理部７３、睡眠状態判定部７４、起床制御部７５、モード制御部７６、嗅覚疲労判定部７７、アクチュエータ制御部７８、及び表示制御部７９を含んでいる。
【００７０】
（４−１）記憶部７１
記憶部７１は、ＲＡＭやＲＯＭ等のメモリを含み、各種情報を保持するための記憶領域又はフラグを有している。記憶部７１には、主として、プログラム記憶領域７１ａ、時刻記憶領域７１ｂ、生体情報記憶領域７１ｃ、コマンド記憶領域７１ｄ、制御モード判別フラグ７１ｅ、レム睡眠フラグ７１ｆ、ノンレム睡眠フラグ７１ｇ、嗅覚疲労フラグ７１ｈ、ニオイフラグ７１ｉ、起床フラグ７１ｊ、及び起床予定時刻到達フラグ７１ｋが含まれている。
【００７１】
プログラム記憶領域７１ａには、コントローラ７０の処理を定義した制御プログラムが格納されている。
【００７２】
時刻記憶領域７１ｂは、現在時刻を特定する情報が記憶されている。
【００７３】
生体情報記憶領域７１ｃは、生体センサ６０から出力される信号（すなわち生体情報）を記憶するための記憶領域である。生体情報記憶領域７１ｃに記憶される生体情報は、入力制御部７２によって最新の状態に適宜更新される。
【００７４】
コマンド記憶領域７１ｄは、入力部８０によってユーザに入力されたコマンドを記憶するための記憶領域である。コマンド記憶領域７１ｄには、例えば入力部８０においてユーザによって入力された起床予定時刻に係るコマンドが記憶されている。すなわち、コマンド記憶領域７１ｄには、設定されている起床予定時刻が記憶されている。
【００７５】
制御モード判別フラグ７１ｅは、遷移している制御モードを判別するためのフラグである。制御モード判別フラグ７１ｅは、所定のビット数を含み、遷移している制御モードに対応するビットを立てられる。
【００７６】
レム睡眠フラグ７１ｆは、睡眠者ＰＳがレム睡眠状態にあることを判別するためのフラグである。
【００７７】
ノンレム睡眠フラグ７１ｇは、睡眠者ＰＳがノンレム睡眠状態にあることを判別するためのフラグである。
【００７８】
嗅覚疲労フラグ７１ｈは、睡眠者ＰＳの嗅覚疲労度を判別するためのフラグである。嗅覚疲労度は、香り（ニオイ）に対する睡眠者ＰＳの感度の経時的変化（慣れ）の度合いであり、睡眠者ＰＳに対するニオイの供給時間が長いほどレベルが増大するように、段階的に設定されている。嗅覚疲労フラグ７１ｈは、所定のビット数を含み、嗅覚疲労度に対応するビットを立てられる。
【００７９】
ニオイフラグ７１ｉは、ニオイセンサ６５の検出結果（すなわち睡眠者ＰＳの周辺のニオイレベル）を判別するためのフラグである。ニオイフラグ７１ｉは、所定のビット数を含み、ニオイレベルに対応するビットを立てられる。
【００８０】
起床フラグ７１ｊは、起床予定時刻に所定の割合で近づいたことを判別するためのフラグである。起床フラグ７１ｊは、起床予定時刻から現在時刻を減じた時間が第１閾値ΔＴｈ１以下となった時（すなわち、起床予定時刻に所定の割合で近づいた時）に立てられる。第１閾値ΔＴｈ１は、使用環境や設計仕様に応じて適宜設定され、ここでは１０分に設定されている。
【００８１】
起床予定時刻到達フラグ７１ｋは、睡眠者ＰＳの起床予定時刻に到達したことを判別するためのフラグである。起床予定時刻到達フラグ７１ｋは、現在時刻が起床予定時刻に到達した時に立てられる。
【００８２】
（４−２）入力制御部７２
入力制御部７２は、コントローラ７０に入力された信号を管理する機能部である。入力制御部７２は、生体センサ６０から信号を入力されると、当該信号から特定される生体情報を、生体情報記憶領域７１ｃに記憶する。すなわち、入力制御部７２は、生体センサ６０とともに、生体情報を取得するための「生体情報取得部」を構成する。
【００８３】
また、入力制御部７２は、ニオイセンサ６５からの信号を入力されると、ニオイフラグ７１ｉにおいて、当該信号から特定されるニオイレベルに対応するビットを立てる。
【００８４】
また、入力制御部７２は、入力部８０に新たなコマンド（例えば、発停を切り換えるコマンドや、起床予定時刻を指示するコマンド）が入力されると、当該コマンドをコマンド記憶領域７１ｄに格納する。すなわち、入力制御部７２は、入力部８０とともに起床予定時刻を取得するための「起床時刻取得部」を構成する。
【００８５】
また、入力制御部７２は、現在時刻を設定するコマンドを入力された場合には、当該コマンドにおいて特定される現在時刻を時刻記憶領域７１ｂに格納する。
【００８６】
（４−３）時刻管理部７３
時刻管理部７３は、現在時刻を管理する機能部である。時刻管理部７３は、時間を計測可能なカウンタを含む。時刻管理部７３は、時間の経過に応じて時刻記憶領域７１ｂに記憶される現在時刻を更新する。
【００８７】
（４−４）睡眠状態判定部７４
睡眠状態判定部７４（特許請求の範囲記載の「睡眠状態情報取得部」に相当）は、睡眠者ＰＳの睡眠状態（睡眠の段階）を判定する機能部である。睡眠状態判定部７４は、生体情報記憶領域７１ｃに記憶されている生体情報を用いて、所定の計算式又はアルゴリズムに基づいて、睡眠状態を特定する睡眠状態情報を抽出して取得し、取得した睡眠状態情報に基づき睡眠者ＰＳの睡眠状態を判定する。睡眠状態情報は、睡眠者ＰＳが睡眠度の浅いレム睡眠状態にあるか否か、睡眠度の深いノンレム睡眠状態にあるか否かを特定する情報である。睡眠状態判定部７４は、生体情報を用いて、公知の計算式やアルゴリズムに基づき、睡眠状態情報を抽出する。例えば、睡眠状態情報は、特許文献１（特許４３９０５３５号公報）に開示されているような計算式やアルゴリズムに沿って抽出される。
【００８８】
睡眠状態判定部７４は、抽出した睡眠状態情報から睡眠者ＰＳがレム睡眠状態にあると判定した場合には、レム睡眠フラグ７１ｆを立てるとともにノンレム睡眠フラグ７１ｇをクリアする。睡眠状態判定部７４は、抽出した睡眠状態情報から睡眠者ＰＳがノンレム睡眠状態にあると判定した場合には、ノンレム睡眠フラグ７１ｇを立てるとともにレム睡眠フラグ７１ｆをクリアする。睡眠状態判定部７４は、抽出した睡眠状態情報から睡眠者ＰＳがレム睡眠状態及びノンレム睡眠状態のいずれでもない（すなわちユーザが睡眠状態にない）と判定した場合には、レム睡眠フラグ７１ｆ及びノンレム睡眠フラグ７１ｇの双方をクリアする。
【００８９】
（４−５）起床制御部７５
起床制御部７５は、起床予定時刻に関連して、起床フラグ７１ｊ又は起床予定時刻到達フラグ７１ｋの状態を切り換える機能部である。起床制御部７５は、時刻記憶領域７１ｂ及びコマンド記憶領域７１ｄを適宜参照し、コマンド記憶領域７１ｄに記憶されている起床予定時刻から時刻記憶領域７１ｂに記憶されている現在時刻を減じた時間が第１閾値ΔＴｈ１（ここでは１０分）以下となった時に起床フラグ７１ｊを立てる。また、起床制御部７５は、現在時刻が、コマンド記憶領域７１ｄに記憶されている起床予定時刻に到達した時に起床予定時刻到達フラグ７１ｋを立てる。起床制御部７５は、ニオイ調整装置１００を停止させる或いはリセットさせるコマンドが入力された時に、起床フラグ７１ｊ及び起床予定時刻到達フラグ７１ｋをクリアする。
【００９０】
（４−６）モード制御部７６
モード制御部７６は、状況に応じて、制御モードを切り替える機能部である。本実施形態において、モード制御部７６は、図９のモードテーブルＴＢ１に示すような態様で制御モードを切り替える。図９は、状況毎の制御モードの切替えを定義したモードテーブルＴＢ１の一例を示した模式図である。モード制御部７６は、記憶部７１の状態を適宜参照し、睡眠者ＰＳの睡眠状態及び時刻に応じて、モードテーブルＴＢ１に基づき制御モードを切り替える。
【００９１】
例えば、モード制御部７６は、起床予定時刻に近い状態（起床フラグ７１ｊが立てられている状態）において、睡眠者ＰＳがレム睡眠状態（レム睡眠フラグ７１ｆが立てられている状態）にある時には制御モードを第２制御モードに切り換え、睡眠者ＰＳがノンレム睡眠状態（ノンレム睡眠フラグ７１ｇが立てられている状態）にある時には制御モードを第３制御モードに切り換え、睡眠者ＰＳが非睡眠状態（レム睡眠フラグ７１ｆ及びノンレム睡眠フラグ７１ｇのいずれも立てられていない状態）にある時には制御モードを第２制御モードに切り換える。
【００９２】
また、例えば、モード制御部７６は、起床予定時刻に到達した状態においては、睡眠者ＰＳの睡眠状態に関わらず、制御モードを第４制御モードに切り換える。
【００９３】
また、例えば、モード制御部７６は、起床予定時刻に未到達の状態であって起床予定時刻に近くない状態（起床フラグ７１ｊ及び起床予定時刻到達フラグ７１ｋのいずれも立てられていない状態）にある場合には、睡眠者ＰＳの睡眠状態に関わらず、制御モードを第１制御モードに切り換える。
【００９４】
（４−７）嗅覚疲労判定部７７
嗅覚疲労判定部７７は、睡眠者ＰＳの嗅覚疲労度（香りに対する感度の経時的変化）を判定する機能部である。本実施形態において嗅覚疲労度は、睡眠者ＰＳが特定のニオイを供給されている状態において所定時間ｔ１経過する毎に段階（レベル）が１つずつ増加するように、制御プログラムにおいて設定されている。所定時間ｔ１は、使用環境や設計仕様に応じて適宜設定され、ここでは１分に設定されている。
【００９５】
具体的に、嗅覚疲労判定部７７は、時刻記憶領域７１ｂ及び制御モード判別フラグ７１ｅを適宜参照し、制御モードが第２制御モード、第３制御モード又は第４制御モードに切り換えられたタイミングを嗅覚疲労度のレベル１（最も小さいレベル）と判定し、所定時間ｔ１が経過する毎に嗅覚疲労度のレベルが１段階ずつ増加するような態様で嗅覚疲労度を判定する。嗅覚疲労判定部７７は、判定結果に応じて嗅覚疲労フラグ７１ｈを立てる。
【００９６】
（４−８）アクチュエータ制御部７８
アクチュエータ制御部７８は、状況に応じて各アクチュエータ（ダンパ２５や送風ファン３１）の状態を制御する機能部である。アクチュエータ制御部７８は、遷移している制御モードに応じて各アクチュエータの状態を決定し、各アクチュエータに対して所定の駆動信号を出力する。
【００９７】
本実施形態において、アクチュエータ制御部７８は、図１０に示すような態様で各アクチュエータの状態を制御する。図１０は、状況毎のアクチュエータ制御部７８の処理を定義した処理テーブルＴＢ２の一例を示した模式図である。アクチュエータ制御部７８は、記憶部７１の状態を適宜参照し、遷移している制御モードや、ニオイレベル又は嗅覚疲労度に応じて、処理テーブルＴＢ２に基づく処理を実行する。
【００９８】
図１０の（ａ）に示されるように、アクチュエータ制御部７８は、第１制御モードにおいて、ニオイレベルが小の時には、第１睡眠促進処理を実行する。第１睡眠促進処理は、ダンパ２５を第１状態（図６で示される状態）に制御するとともに空気流ＡＦの風量が弱となるように送風ファン３１の回転数を制御する処理である。
【００９９】
図１０の（ｂ）に示されるように、アクチュエータ制御部７８は、第１制御モードにおいて、ニオイレベルが中の時には、第２睡眠促進処理を実行する。第２睡眠促進処理は、ダンパ２５を第１状態（図６で示される状態）に制御するとともに空気流ＡＦの風量が中となるように送風ファン３１の回転数を制御する処理である。
【０１００】
図１０の（ｃ）に示されるように、アクチュエータ制御部７８は、第１制御モードにおいて、ニオイレベルが大の時には、第３睡眠促進処理を実行する。第３睡眠促進処理は、ダンパ２５を第１状態（図６で示される状態）に制御するとともに空気流ＡＦの風量が強となるように送風ファン３１の回転数を制御する処理である。
【０１０１】
図１０の（ｄ）に示されるように、アクチュエータ制御部７８は、第２制御モードにおいて、嗅覚疲労度がレベル１の時には、第１覚醒促進処理を実行する。第１覚醒促進処理は、ダンパ２５を第２状態（図７で示される状態）に制御するとともに空気流ＡＦの風量が弱となるように送風ファン３１の回転数を制御する処理である。
【０１０２】
図１０の（ｅ）に示されるように、アクチュエータ制御部７８は、第２制御モードにおいて、嗅覚疲労度がレベル２の時には、第２覚醒促進処理を実行する。第２覚醒促進処理は、ダンパ２５を第３状態（図８で示される状態）に制御するとともに空気流ＡＦの風量が弱となるように送風ファン３１の回転数を制御する処理である。
【０１０３】
図１０の（ｆ）に示されるように、アクチュエータ制御部７８は、第２制御モードにおいて、嗅覚疲労度がレベル３の時には、第３覚醒促進処理を実行する。第３覚醒促進処理は、ダンパ２５を第３状態（図８で示される状態）に制御するとともに空気流ＡＦの風量が中となるように送風ファン３１の回転数を制御する処理である。
【０１０４】
図１０の（ｇ）に示されるように、アクチュエータ制御部７８は、第３制御モードにおいて、嗅覚疲労度がレベル１の時には、第２覚醒促進処理を実行する。
【０１０５】
図１０の（ｈ）に示されるように、アクチュエータ制御部７８は、第３制御モードにおいて、嗅覚疲労度がレベル２の時には、第３覚醒促進処理を実行する。
【０１０６】
図１０の（ｉ）に示されるように、アクチュエータ制御部７８は、第３制御モードにおいて、嗅覚疲労度がレベル３の時には、第４覚醒促進処理を実行する。第４覚醒促進処理は、ダンパ２５を第３状態（図８で示される状態）に制御するとともに空気流ＡＦの風量が強となるように送風ファン３１の回転数を制御する処理である。
【０１０７】
図１０の（ｊ）に示されるように、アクチュエータ制御部７８は、第４制御モードにおいては、嗅覚疲労度に関わらず第４覚醒促進処理を実行する。
【０１０８】
（４−９）表示制御部７９
表示制御部７９は、表示部９０の状態を制御する機能部である。表示制御部７９は、表示部９０において状況に応じた情報が表示されるように、表示部９０に対して所定の信号を出力する。
【０１０９】
（５）コントローラ７０の処理の流れ
以下、運転中、コントローラ７０が状況に応じて行う各アクチュエータの制御の流れの一例について説明する。図１１及び図１２は、運転中、コントローラ７０によって行われる各アクチュエータの制御の流れの一例について示したフローチャートである。コントローラ７０は、運転中、図１１及び図１２に示すステップＳ１０１からＳ１２５に示すような流れで処理を実行する。なお、図１１及び図１２に示される処理の流れは、一例であり、適宜変更可能である。例えば、矛盾のない範囲でステップの順序が変更されてもよいし、一部のステップが他のステップと並列に実行されてもよいし、図示されない他のステップが適宜追加されてもよい。
【０１１０】
ステップＳ１０１において、コントローラ７０は、生体情報を取得していない場合（すなわちＮＯの場合）には、ステップＳ１０１に留まる。一方、生体情報を取得している場合（すなわちＹＥＳの場合）には、ステップＳ１０２へ進む。
【０１１１】
ステップＳ１０２において、コントローラ７０は、取得している生体情報に基づき睡眠状態情報を抽出して取得する。その後、ステップＳ１０３へ進む。
【０１１２】
ステップＳ１０３において、コントローラ７０は、抽出した睡眠状態情報に基づき、睡眠者ＰＳがレム睡眠状態にないと判断した場合（すなわちＮＯの場合）には、ステップＳ１１４へ進む。一方、睡眠者ＰＳがレム睡眠状態にあると判断した場合（すなわちＹＥＳの場合）には、ステップＳ１０４へ進む。
【０１１３】
ステップＳ１０４において、コントローラ７０は、起床予定時刻から現在時刻を減じた値が第１閾値ΔＴｈ１以下（起床予定時刻に近い状態）でない場合（すなわちＮＯの場合）には、ステップＳ１２０へ進む。一方、起床予定時刻から現在時刻を減じた値が第１閾値ΔＴｈ１以下の場合（すなわちＹＥＳの場合）には、ステップＳ１０５へ進む。
【０１１４】
ステップＳ１０５において、コントローラ７０は、起床予定時刻に到達していない場合（すなわちＮＯの場合）には、ステップＳ１０８へ進む。一方、起床予定時刻に到達している場合（すなわちＹＥＳの場合）には、ステップＳ１０６へ進む。
【０１１５】
ステップＳ１０６において、コントローラ７０は、第４制御モードに遷移する。その後、ステップＳ１０７へ進む。
【０１１６】
ステップＳ１０７において、コントローラ７０は、第４覚醒促進処理を実行する。具体的に、コントローラ７０は、ダンパ２５を第３状態に制御して第２空気流路２３２を開通させるとともに第１空気流路２３１を遮断させ、風量が強となるように送風ファン３１の回転数を制御する。その後、ステップＳ１０１に戻る。
【０１１７】
ステップＳ１０８において、コントローラ７０は、第２制御モードに遷移する。その後、ステップＳ１０９へ進む。
【０１１８】
ステップＳ１０９において、コントローラ７０は、嗅覚疲労度がレベル１でない場合（すなわちＮＯの場合）には、ステップＳ１１１へ進む。一方、嗅覚疲労度がレベル１の場合（すなわちＹＥＳの場合）には、ステップＳ１１０へ進む。
【０１１９】
ステップＳ１１０において、コントローラ７０は、第１覚醒促進処理を実行する。具体的に、コントローラ７０は、ダンパ２５を第２状態に制御して第１空気流路２３１及び第２空気流路２３２を開通させるとともに、風量が弱となるように送風ファン３１の回転数を制御する。その後、ステップＳ１０１に戻る。
【０１２０】
ステップＳ１１１において、コントローラ７０は、嗅覚疲労度がレベル２でない場合（すなわちレベル３以上の場合、ここではＮＯの場合）には、ステップＳ１１３へ進む。一方、嗅覚疲労度がレベル２の場合（すなわちＹＥＳの場合）には、ステップＳ１１２へ進む。
【０１２１】
ステップＳ１１２において、コントローラ７０は、第２覚醒促進処理を実行する。具体的に、コントローラ７０は、ダンパ２５を第３状態に制御して第２空気流路２３２を開通させるとともに第１空気流路２３１を遮断させ、風量が弱となるように送風ファン３１の回転数を制御する。その後、ステップＳ１０１に戻る。
【０１２２】
ステップＳ１１３において、コントローラ７０は、第３覚醒促進処理を実行する。具体的に、コントローラ７０は、ダンパ２５を第３状態に制御して第２空気流路２３２を開通させるとともに第１空気流路２３１を遮断させ、風量が中となるように送風ファン３１の回転数を制御する。その後、ステップＳ１０１に戻る。
【０１２３】
ステップＳ１１４において、コントローラ７０は、抽出した睡眠状態情報に基づき、睡眠者ＰＳがノンレム睡眠状態にないと判断した場合（すなわち非睡眠状態にある場合、ここではＮＯの場合）には、ステップＳ１０４に戻る。一方、睡眠者ＰＳがノンレム睡眠状態にあると判断した場合（すなわちＹＥＳの場合）には、ステップＳ１１６へ進む。
【０１２４】
ステップＳ１１５において、コントローラ７０は、起床予定時刻から現在時刻を減じた値が第１閾値ΔＴｈ１以下（起床予定時刻に近い状態）でない場合（すなわちＮＯの場合）には、ステップＳ１２０へ進む。一方、起床予定時刻から現在時刻を減じた値が第１閾値ΔＴｈ１以下の場合（すなわちＹＥＳの場合）には、ステップＳ１１６へ進む。
【０１２５】
ステップＳ１１６において、コントローラ７０は、起床予定時刻に到達していない場合（すなわちＮＯの場合）には、ステップＳ１１７へ進む。一方、起床予定時刻に到達している場合（すなわちＹＥＳの場合）には、ステップＳ１０６に戻る。
【０１２６】
ステップＳ１１７において、コントローラ７０は、第３制御モードに遷移する。その後、ステップＳ１１８へ進む。
【０１２７】
ステップＳ１１８において、コントローラ７０は、嗅覚疲労度がレベル１でない場合（すなわちＮＯの場合）には、ステップＳ１１９へ進む。一方、嗅覚疲労度がレベル１の場合（すなわちＹＥＳの場合）には、ステップＳ１１２に戻る。
【０１２８】
ステップＳ１１９において、コントローラ７０は、嗅覚疲労度がレベル２でない場合（すなわちレベル３以上の場合、ここではＮＯの場合）には、ステップＳ１０７に戻る。一方、嗅覚疲労度がレベル２の場合（すなわちＹＥＳの場合）には、ステップＳ１１３に戻る。
【０１２９】
ステップＳ１２０において、コントローラ７０は、第１制御モードに遷移する。その後、ステップＳ１２１へ進む。
【０１３０】
ステップＳ１２１において、コントローラ７０は、ニオイセンサ６５によって検出されたニオイレベルが小でない場合（ここではＮＯの場合）には、ステップＳ１２３へ進む。一方、ニオイセンサ６５によって検出されたニオイレベルが小の場合（すなわちＹＥＳの場合）には、ステップＳ１２２へ進む。
【０１３１】
ステップＳ１２２において、コントローラ７０は、第１睡眠促進処理を実行する。具体的に、コントローラ７０は、ダンパ２５を第１状態に制御して第１空気流路２３１を開通させるとともに第２空気流路２３２を遮断させ、風量が弱となるように送風ファン３１の回転数を制御する。その後、ステップＳ１０１に戻る。
【０１３２】
ステップＳ１２３において、コントローラ７０は、ニオイセンサ６５によって検出されたニオイレベルが中でない場合（すなわちニオイレベルが大の場合、ここではＮＯの場合）には、ステップＳ１２５へ進む。一方、ニオイセンサ６５によって検出されたニオイレベルが中の場合（すなわちＹＥＳの場合）には、ステップＳ１２４へ進む。
【０１３３】
ステップＳ１２４において、コントローラ７０は、第２睡眠促進処理を実行する。具体的に、コントローラ７０は、ダンパ２５を第１状態に制御して第１空気流路２３１を開通させるとともに第２空気流路２３２を遮断させ、風量が中となるように送風ファン３１の回転数を制御する。その後、ステップＳ１０１に戻る。
【０１３４】
ステップＳ１２５において、コントローラ７０は、第３睡眠促進処理を実行する。具体的に、コントローラ７０は、ダンパ２５を第１状態に制御して第１空気流路２３１を開通させるとともに第２空気流路２３２を遮断させ、風量が強となるように送風ファン３１の回転数を制御する。その後、ステップＳ１０１に戻る。
【０１３５】
（６）睡眠促進機能・覚醒促進機能
ニオイ調整装置１００では、主として、睡眠者ＰＳの睡眠状態（レム睡眠状態、ノンレム睡眠状態及び非睡眠状態のいずれか）、起床予定時刻と現在時刻との関係、及びニオイセンサ６５の検出結果（ニオイレベル）、及び睡眠者ＰＳの嗅覚疲労度に基づき、睡眠者ＰＳの睡眠又は覚醒が促進されるように、睡眠者ＰＳに顔周辺に供給する空気流ＡＦのニオイをニオイ調整ユニット４０によって以下の態様で調整している。
【０１３６】
（６−１）起床予定時刻に未到達であって起床予定時刻に所定の割合で近くない状態にある場合（起床予定時刻から現在時刻を減じた値が第１閾値ΔＴｈ１より大きい場合）
ニオイ調整装置１００では、起床予定時刻に未到達で起床予定時刻に所定の割合で近くない状態にある場合には、より睡眠が促進されるように、ニオイ除去された空気流ＡＦが睡眠者ＰＳの顔周辺に供給されている。すなわち、空気清浄ユニット４５（脱臭エレメント４８）を通過することでニオイが除去され且つ香り付加ユニット５０をバイパスすることで香り成分を含まない状態の空気流ＡＦが、睡眠者ＰＳの顔周辺に送られるように各部が制御されている（図１０の第１睡眠促進処理、第２睡眠促進処理、及び第３睡眠促進処理を参照）。これにより、睡眠者ＰＳの睡眠を阻害するニオイが睡眠者ＰＳに送られることが抑制されており、睡眠者ＰＳの睡眠が促進されている。
【０１３７】
より詳細には、ニオイセンサ６５の検出結果（すなわち睡眠者ＰＳの顔周辺のニオイ）のニオイレベルが小の時には空気流ＡＦの風量が弱に制御され、中の時には空気流ＡＦの風量が中に制御され、大の時には空気流ＡＦの風量が強に制御されている。すなわち、ニオイ調整装置１００では、ニオイレベルの大きさに応じて最適な風量が選択されて、睡眠者ＰＳの顔周辺のニオイが適切に除去されるようになっている。換言すると、睡眠者ＰＳの周囲におけるニオイの状態に基づき、送風ファン３１の回転数が制御されており、睡眠者ＰＳの顔周辺に送られる空気のニオイの程度が状況に応じて適宜調整されている。
【０１３８】
これにより、睡眠者ＰＳの睡眠を阻害するニオイが睡眠者ＰＳに送られることが精度よく抑制されており、睡眠者ＰＳの睡眠が高精度に促進されている。特に、睡眠者ＰＳが非睡眠状態にある場合や、覚醒しやすいレム睡眠状態にある場合において、睡眠者ＰＳの顔周辺に送られる空気流ＡＦに含まれるニオイが空気清浄ユニット４５によって除去され、睡眠者ＰＳの睡眠が促進されている。
【０１３９】
（６−２）起床予定時刻に未到達であって起床予定時刻に所定の割合で近い状態にある場合（起床予定時刻から現在時刻を減じた値が第１閾値ΔＴｈ１以下の場合）
ニオイ調整装置１００では、起床予定時刻に未到達で起床予定時刻に所定の割合で近い状態にある場合には、覚醒が促進されるように、覚醒作用のあるニオイ（香り成分）を含んだ空気流ＡＦを睡眠者ＰＳの顔周辺に送られている。すなわち、空気清浄ユニット４５（脱臭エレメント４８）を通過することでニオイが除去され且つ香り付加ユニット５０を通過することで香り成分を含んだ状態の空気流ＡＦが、睡眠者ＰＳの顔周辺に送られるように各部が制御されている（図１０の第１覚醒促進処理、第２覚醒促進処理、第３覚醒促進処理及び第４覚醒促進処理を参照）。これにより、睡眠者ＰＳの覚醒を促進するニオイ（香り）が睡眠者ＰＳに送られるようになっており、睡眠者ＰＳの覚醒が促進されている。
【０１４０】
より詳細には、睡眠者ＰＳがレム睡眠状態、ノンレム睡眠状態及び非睡眠状態のいずれにあるかに応じて、睡眠者ＰＳに供給されるニオイの強さ（香りの濃度）が増減するように、ダンパ２５及び送風ファン３１の回転数が制御されている。例えば、睡眠者ＰＳが覚醒しやすいレム睡眠状態にある場合、又は非睡眠状態にある場合には、快適な起床が促されるように、香り付加ユニット５０によって適切な濃度の香りが空気流ＡＦに付与されるようになっている。
【０１４１】
また例えば、睡眠者ＰＳが覚醒しにくいノンレム睡眠状態にある場合には、レム睡眠状態及び非睡眠状態にある場合と比較して、香りの濃度が増大するように、空気流ＡＦの進路、及び風量が制御されている。換言すると、起床予定時刻が所定の割合で近づいている場合であって睡眠者ＰＳがノンレム睡眠状態にある時には、より強いニオイが睡眠者ＰＳに送られるようになっている。
【０１４２】
また、嗅覚疲労度（睡眠者ＰＳのニオイに対する慣れ）が加味されて、嗅覚疲労度の変化（ここでは時間の経過）とともに香りの濃度が増大するように、空気流ＡＦの進路、及び風量が制御されている。これにより、睡眠者ＰＳの顔周辺に送られる空気の香り（ニオイ）に関して、睡眠者ＰＳが時間経過に伴い慣れて知覚しにくい状態となることが抑制されている。
【０１４３】
（６−３）起床予定時刻に到達した場合
ニオイ調整装置１００では、起床予定時刻に到達した場合には、起床予定時刻に未到達の場合と比較して、空気流ＡＦに含まれる香りの濃度が増大するように、空気流ＡＦの進路、及び風量が制御されている。換言すると、起床予定時刻に到達した場合には、特に強いニオイ（香りの濃度が特に大きい空気流ＡＦ）が睡眠者ＰＳに送られるようになっている。これにより、起床予定時刻において睡眠者ＰＳの覚醒が特に促進されている。
【０１４４】
（７）特徴
（７−１）
上記実施形態に係るニオイ調整装置１００では、コントローラ７０が生体情報に基づいて抽出し取得した睡眠状態情報に基づいて、睡眠者ＰＳの睡眠又は覚醒が促進されるように、ファンユニット３０によって供給される空気のニオイが調整されている。すなわち、睡眠状態情報に基づいて、睡眠又は覚醒が促進されるように、睡眠者ＰＳの顔周辺の空気のニオイが調整されるように構成されている。これにより、睡眠又は覚醒を促進するニオイ（香り）を睡眠者ＰＳに対して供給すること、又は睡眠者ＰＳの睡眠又は覚醒を阻害するニオイを睡眠者ＰＳの顔周辺から除去することが可能となっている。よって、睡眠者ＰＳの快適な睡眠又は起床が促進されるようになっている。
【０１４５】
（７−２）
上記実施形態に係るニオイ調整装置１００では、ニオイ調整ユニット４０は、空気清浄ユニット４５（脱臭エレメント４８）を含み、空気清浄ユニット４５は、ファンユニット３０によって供給される空気流ＡＦのニオイを除去している。これにより、睡眠状態情報に基づいて、睡眠又は覚醒が促進されるように、睡眠者ＰＳの顔周辺に送られる空気のニオイが除去されるようになっている。その結果、睡眠者ＰＳの睡眠を阻害するニオイを除去することが可能となっている。
【０１４６】
（７−３）
上記実施形態に係るニオイ調整装置１００では、ニオイ調整ユニット４０は、睡眠者ＰＳがレム睡眠状態にある場合に、睡眠者ＰＳの睡眠が促進されるように、空気清浄ユニット４５によりファンユニット３０によって供給される空気流ＡＦのニオイを除去している。これにより、睡眠者ＰＳが、知覚するニオイに因って睡眠が阻害されやすいレム睡眠状態にある場合に、睡眠を阻害するニオイを睡眠者ＰＳの顔周辺から除去することが可能となっている。よって、睡眠者ＰＳの快適な睡眠が特に促進されるようになっている。
【０１４７】
（７−４）
上記実施形態に係るニオイ調整装置１００では、ニオイ調整ユニット４０は、ファンユニット３０によって供給される空気流ＡＦに香りを付与する香り付加ユニット５０を含んでいる。これにより、睡眠状態情報に基づいて、覚醒が促進されるように、睡眠者ＰＳの顔周辺に送られる空気流ＡＦに香りが付与されるようになっている。その結果、睡眠者ＰＳの睡眠状態に応じて、覚醒を促進するニオイ（香り）を睡眠者ＰＳに供給することが可能となっている。よって、睡眠者ＰＳの快適な起床が促進されるようになっている。
【０１４８】
（７−５）
上記実施形態に係るニオイ調整装置１００では、ニオイ調整ユニット４０は、睡眠者ＰＳがレム睡眠状態にある場合に、香り付加ユニット５０によりファンユニット３０によって供給される空気流ＡＦに香りを付与している。これにより、睡眠者ＰＳが覚醒しやすいレム睡眠状態にある場合に、覚醒効果の高いニオイを睡眠者ＰＳに供給することが可能となっている。よって、睡眠者ＰＳの快適な起床が特に促進されるようになっている。
【０１４９】
（７−６）
上記実施形態に係るニオイ調整装置１００では、ニオイ調整ユニット４０は、起床予定時刻から現在時刻を減じた時間が第１閾値ΔＴｈ１以下となった場合に、睡眠者ＰＳの覚醒が促進されるように、香り付加ユニット５０によりファンユニット３０によって供給される空気流ＡＦに香りを付与している。これにより、起床予定時刻となった場合又は起床予定時刻に近づいた場合であって、睡眠者ＰＳが覚醒しやすいレム睡眠状態にある時に、覚醒が促進されるように睡眠者ＰＳの顔周辺に送られる空気に香りが付与されている。その結果、起床予定時刻に合わせて、睡眠者ＰＳが覚醒しやすいタイミングで覚醒効果の高いニオイを睡眠者ＰＳに供給することが可能となっている。よって、睡眠者ＰＳの起床予定時刻に応じて睡眠者ＰＳの快適な起床が特に促進されるようになっている。
【０１５０】
（７−７）
上記実施形態に係るニオイ調整装置１００では、ニオイ調整ユニット４０は、睡眠者ＰＳがノンレム睡眠状態にある時に、香り付加ユニット５０によって付与される香りの濃度が、睡眠者ＰＳがレム睡眠状態にある時よりも大きくなるように、空気流ＡＦのニオイを調整している。これにより、睡眠者ＰＳが覚醒しにくいノンレム睡眠状態にある時に、睡眠者ＰＳの顔周辺に送られる空気に関して、香り成分の濃度が大きくなる（すなわちニオイが強くなる）ようになっている。その結果、睡眠者ＰＳが覚醒しにくいノンレム睡眠状態にある時にも、睡眠者ＰＳの覚醒を促進することが可能となっている。
【０１５１】
（７−８）
上記実施形態に係るニオイ調整装置１００では、嗅覚疲労判定部７７は睡眠者ＰＳの嗅覚疲労度（ニオイに対する慣れ）を判定し、ニオイ調整ユニット４０は嗅覚疲労判定部７７の判定結果に基づき香り付加ユニット５０において空気流ＡＦに付与される香りの濃度を調整している。これにより、睡眠者ＰＳの嗅覚疲労度を加味して香り付加ユニット５０において付与する香りの濃度が調整されるようになっている。その結果、睡眠者ＰＳの顔周辺に送られる空気の香り（ニオイ）に関して、睡眠者ＰＳが時間経過に伴い慣れて知覚しにくい状態となることが抑制される。よって、睡眠者ＰＳの快適な起床が精度よく促進されている。
【０１５２】
（７−９）
上記実施形態に係るニオイ調整装置１００では、ファンユニット３０は空気流ＡＦを生成する送風ファン３１を含み、コントローラ７０は睡眠状態情報又は睡眠者ＰＳの周囲におけるニオイの状態に基づき、送風ファン３１の回転数を制御している。これにより、睡眠状態情報又は睡眠者ＰＳの周囲におけるニオイの状態に基づき、睡眠者ＰＳの顔周辺に送られる、ニオイ調整された空気流ＡＦの流量（風量）を調整することが可能となっている。その結果、睡眠者ＰＳの顔周辺に送られる空気のニオイの程度を、状況に応じて適宜調整することが可能となっている。よって、睡眠者ＰＳの快適な睡眠又は起床が精度よく促進されている。
【０１５３】
（７−１０）
上記実施形態に係るニオイ調整装置１００では、生体センサ６０によって検出された睡眠者ＰＳの生体情報に基づき睡眠状態情報が取得されている。その結果、精度の高い睡眠状態情報を取得可能となっている。これに関連して、睡眠者ＰＳの睡眠状態に応じて、睡眠者ＰＳの顔周辺に送られる空気のニオイを目的に沿って高精度に調整することが可能となっている。よって、睡眠者ＰＳの快適な睡眠又は起床が精度よく促進されている。
【０１５４】
（７−１１）
上記実施形態に係るニオイ調整装置１００では、睡眠者ＰＳの頭部を支持する枕部１０を備え、枕部１０には送風口１２が形成され、送風口１２からはファンユニット３０によって供給される空気流ＡＦが流出するようになっている。これにより、睡眠時に一般的に用いられる枕から、ニオイ調整された空気を睡眠者ＰＳの顔周辺に供給することが可能となっている。よって、汎用性又は利便性が向上している。
【０１５５】
（８）変形例
上記実施形態は、以下の変形例に示すように適宜変形が可能である。なお、各変形例は、矛盾が生じない範囲で他の変形例と組み合わせて適用されてもよい。
【０１５６】
（８−１）変形例Ａ
上記実施形態では、香り付加ユニット５０には、覚醒作用のある香り成分を有する香りカプセル５２を含み、第１覚醒促進処理から第４覚醒促進処理において、空気流ＡＦに覚醒促進効果のある香りを付与していた。しかし、香り付加ユニット５０には、覚醒作用のある香り成分を有する香りカプセル５２とは別に／覚醒作用のある香り成分を有する香りカプセル５２に代えて、睡眠促進作用やリラクゼーション作用のある香り成分を有する香りカプセルを含んでいてもよい。係る香り成分としては、特に限定されないが、例えば白檀、沈香及びラベンダー等の香り等、鎮静作用のある香り成分である。
【０１５７】
係る場合、本体ケーシング２０内に第１空気流路２３１及び第２空気流路２３２とは別に、睡眠促進作用・リラクゼーション作用のある香り成分を有する香りカプセルが配置される第３空気流路を形成するとともに、第１睡眠促進処理―第３睡眠促進処理において第３空気流路が開通するようにダンパ２５や送風ファン３１を制御されてもよい。これにより、第１睡眠促進処理―第３睡眠促進処理において睡眠を促進するうえで、さらに詳細なニオイ調整が可能となり、睡眠者ＰＳの睡眠促進効果がさらに期待できる。
【０１５８】
（８−２）変形例Ｂ
上記実施形態では、香り付加ユニット５０に香り成分を有する香りカプセル５２がユニットケーシング５１内に充填され、係る香りカプセル５２から放出された香り成分によって、空気流ＡＦに香りが付与されていた。しかし、香り付加ユニット５０の構成態様については、適宜変更が可能である。
【０１５９】
例えば、図１３に示すように、香りカプセル５２を補充するための香りカプセル補充容器５３を別途設け、香りカプセル補充容器５３から香り付加ユニット５０のユニットケーシング５１内に香りカプセル５２が適宜送られるように構成されてもよい。係る場合、香りカプセル補充容器５３は、ニオイ調整装置１００が使用される空間の壁や床に固定された状態で設置され、使用時に本体ケーシング２０が香りカプセル補充容器５３に連結されることでニオイ調整装置１００が駆動可能となるように構成されてもよい。
【０１６０】
また、例えば、香り付加ユニット５０においては、香りカプセル５２に代えて、液状や半固体状の香料が充填され、係る香料によって空気流ＡＦに付与する香りを生じさせてもよい。係る場合、香料を蒸発・拡散させる加熱部や超音波の振動により微粒子にしてミスト状に拡散させる超音波発生部を設けられ、コントローラ７０によって加熱器や超音波発生部の動作が制御されることで空気流ＡＦに付与される香りの濃度が調整されてもよい。係る場合、ダンパ２５については適宜省略が可能である。
【０１６１】
（８−３）変形例Ｃ
上記実施形態は、ニオイ調整ユニット４０は、空気清浄ユニット４５（脱臭エレメント４８）及び香り付加ユニット５０を含み、空気清浄ユニット４５により空気流ＡＦからニオイを除去する、又は香り付加ユニット５０により空気流ＡＦに香りを付与することで、睡眠者ＰＳに送られる空気流ＡＦのニオイが調整されていた。この点、ニオイ調整装置１００では、ニオイ調整ユニット４０の空気清浄ユニット４５及び香り付加ユニット５０の一方を省略し、空気清浄ユニット４５により空気流ＡＦからニオイを除去する、又は香り付加ユニット５０により空気流ＡＦに香りを付与することのいずれかにより、睡眠者ＰＳに送られる空気流ＡＦのニオイを調整するように構成されてもよい。係る場合においても、睡眠者ＰＳの顔周辺の空気からニオイを除去することによる睡眠促進効果、及び睡眠者ＰＳの顔周辺の空気に香りを付与することによる覚醒促進効果の一方については実現可能である。
【０１６２】
係る場合における、コントローラ７０の制御の流れについては、睡眠者ＰＳの睡眠促進効果又は覚醒促進効果が実現されるように、適宜調整される。例えば、ニオイ調整ユニット４０において空気清浄ユニット４５が省略される場合には、図１０及び図１１における第１制御モード及び第１−３睡眠促進処理が省略されるとともに、図１２におけるステップＳ１２０−Ｓ１２５に係る処理が省略される。また、例えば、ニオイ調整ユニット４０において香り付加ユニット５０が省略される場合には、図１０及び図１１における第２−第４制御モード及び第１−４覚醒促進処理が省略されるとともに、図１１及び図１２におけるステップＳ１０５−Ｓ１１３、及びステップＳ１１６−Ｓ１１９に係る処理が省略される。
【０１６３】
（８−４）変形例Ｄ
上記実施形態では、睡眠者ＰＳの覚醒を促進する処理（第１−第４覚醒促進処理）において、睡眠者ＰＳに供給される空気流ＡＦに覚醒効果のある香りを付与することで睡眠者ＰＳの覚醒を促進していた。しかし、睡眠者ＰＳの覚醒を促進する方法については、必ずしもこれに限定されず、他の方法によって睡眠者ＰＳの覚醒が促進されてもよい。
【０１６４】
例えば、睡眠者ＰＳの顔周辺において覚醒を阻害するニオイ（例えば白檀、沈香及びラベンダー等の香り等、鎮静作用のある香り成分）が存在する場合には、脱臭エレメント４８等を用いて係るニオイを除去した空気流ＡＦを睡眠者ＰＳの顔周辺に供給することで、係るニオイによって睡眠者ＰＳの覚醒が妨げられることを抑制し、睡眠が促進されるように構成されてもよい。係る場合には、睡眠者ＰＳに対して供給される空気流ＡＦに関して、ニオイが除去されることによりニオイ調整され、これにより睡眠者ＰＳの睡眠促進効果が実現される。
【０１６５】
（８−５）変形例Ｅ
上記実施形態では、生体センサ６０及びニオイセンサ６５は、枕部１０内に配置されていた。しかし、生体センサ６０及びニオイセンサ６５の配置態様については、必ずしもこれに限定されず、使用環境や設計仕様に応じて適宜変更が可能である。すなわち、生体センサ６０又はニオイセンサ６５は、生体情報又はニオイレベルを適切に検出可能でありコントローラ７０と通信可能に配置される限り、枕部１０の外部に配置されてもよい。例えば、生体センサ６０又はニオイセンサ６５は、本体ケーシング２０内に配置されてもよいし、他の装置内に配置されてもよいし、独立して配置されてもよい。
【０１６６】
（８−６）変形例Ｆ
上記実施形態では、ニオイ調整装置１００に枕部１０が含まれていた。しかし、枕部１０については、本発明の効果を実現するうえで必ずしも必要ではない。すなわち、ニオイ調整された空気流ＡＦが睡眠者ＰＳの顔周辺に送ることが可能な限り、枕部１０については適宜省略されてもよい。係る場合、空気流ＡＦは、例えば、本体ケーシング２０に形成された排気口２２から睡眠者ＰＳの顔周辺に直接送られてもよいし、ダクトＤ１等の流路形成部材を介して送られてもよい。また、生体センサ６０又はニオイセンサ６５は、例えば、本体ケーシング２０内に配置されてもよいし、他の装置内に配置されてもよいし、独立して配置されてもよい。すなわち、枕部１０については本発明の必須構成要素ではない。
【０１６７】
（８−７）変形例Ｇ
上記実施形態では、第１制御モード（第１―３睡眠促進処理）において、睡眠者ＰＳの顔周辺におけるニオイレベルを加味して、各アクチュエータの制御が行われ、睡眠者ＰＳに送られる空気流ＡＦのニオイが調整されていた。睡眠者ＰＳの睡眠を精度よく促進すべく、睡眠者ＰＳに供給される空気流ＡＦのニオイを詳細に調整する、という観点によれば、睡眠者ＰＳの顔周辺におけるニオイレベルを加味して、各アクチュエータの制御が行われることが好ましい。しかし、必ずしも、睡眠者ＰＳの顔周辺におけるニオイレベルを加味して、睡眠者ＰＳに送られる空気流ＡＦのニオイが調整される必要はない。係る場合、ニオイセンサ６５については、適宜省略が可能である。
【０１６８】
（８−８）変形例Ｈ
上記実施形態では、第２―３制御モード（第１―３覚醒促進処理）において、睡眠者ＰＳの嗅覚疲労度を加味して、各アクチュエータの制御が行われ、睡眠者ＰＳに送られる空気流ＡＦのニオイ（香りの濃度）が調整されていた。睡眠者ＰＳの覚醒を精度よく促進すべく、睡眠者ＰＳに供給される空気流ＡＦのニオイを詳細に調整する、という観点によれば、睡眠者ＰＳの顔周辺における嗅覚疲労度を加味して、各アクチュエータの制御が行われることが好ましい。しかし、必ずしも、睡眠者ＰＳの嗅覚疲労度を加味して、睡眠者ＰＳに送られる空気流ＡＦのニオイ（香りの濃度）が調整される必要はない。
【０１６９】
（８−９）変形例Ｉ
上記実施形態では、図６―８に示されるように、ダンパ２５の位置を状況に応じて３段階に変更されることで、本体ケーシング２０内において異なる空気流路が形成され、これにより睡眠者ＰＳに送られる空気流ＡＦのニオイが調整される場合について説明した。しかし、ダンパ２５の制御方法（本体ケーシング２０内における空気流路の形成態様）については、必ずしもこれに限定されず、空気流ＡＦに関するニオイ調整の程度に応じて、図６―８とは異なる態様で空気流路が形成されるように、ダンパ２５の位置をさらに微細に変更してもよい。
【０１７０】
例えば、図５に示される状態（すなわち、ダンパ２５が第２状態にある場合）よりも空気流ＡＦに含まれる香りの濃度を小さくしたい場合には、空気流ＡＦに占める香り付加ユニット５０をバイパスする第１空気流ＡＦ１の割合が、香り付加ユニット５０を通過する第２空気流ＡＦ２の割合よりも大きくなるように、ダンパ２５の位置が第２状態よりも香り付加ユニット５０方向に傾斜して位置する（すなわち空気流ＡＦに対して香り付加ユニット５０を遮蔽する）ように制御されてもよい。
【０１７１】
また、例えば、図５に示される状態（すなわち、ダンパ２５が第２状態にある場合）よりも空気流ＡＦに含まれる香りの濃度を大きくしたい場合には、空気流ＡＦに占める香り付加ユニット５０を通過する第２空気流ＡＦ２の割合が、香り付加ユニット５０をバイパスする第１空気流ＡＦ１の割合よりも大きくなるように、ダンパ２５の位置が第２状態よりも香り付加ユニット５０とは反対方向に傾斜して位置する（すなわち空気流ＡＦに対して香り付加ユニット５０を露出させる）ように制御されてもよい。
【０１７２】
（８−１０）変形例Ｊ
上記実施形態では、コントローラ７０は、本体ケーシング２０内に配置された。しかし、コントローラ７０に含まれる各機能部（７１−７９）のうち、一部又は全部については、必ずしも本体ケーシング２０内に配置される必要はない。すなわち、コントローラ７０の一部又は全部については、各接続機器（２５、３０、６０、６５、８０、９０）と通信可能である限り、本体ケーシング２０以外の筐体や装置内に配置されてもよいし、独立して配置されてもよい。例えば、コントローラ７０の一部／全部は、枕部１０内に配置されてもよいし、通信ネットワークを介して接続された遠隔地に配置されてもよい。係る場合、各接続機器や他の機能部との間における通信は、例えばBluetooth（登録商標）やWi-Fi（登録商標）等を用いる無線通信によって行われてもよい。
【０１７３】
（８−１１）変形例Ｋ
上記実施形態では、第１閾値ΔＴｈ１が１０分に設定され、所定時間ｔ１が１分に設定される場合について説明したが、第１閾値ΔＴｈ１及び所定時間ｔ１については、使用環境や設計仕様に応じて適宜変更が可能である。すなわち、第１閾値ΔＴｈ１は、１０分より大きい値（例えば３０分）に設定されてもよいし、１０分より小さい値（例えば５分）に設定されてもよい。また、例えば、所定時間ｔ１は、１分より大きい値（例えば３分）に設定されてもよいし、１分より小さい値（例えば３０秒）に設定されてもよい。
【０１７４】
（８−１２）変形例Ｌ
上記実施形態において、ニオイ調整装置１００は、生体情報を取得する生体センサ６０、及びニオイレベルを検出するニオイセンサ６５を有していた。しかし、生体センサ６０又はニオイセンサ６５は、ニオイ調整装置１００に必ずしも含まれる必要はなく、適宜省略されてもよい。係る場合、コントローラ７０（睡眠状態判定部７４）は、他の装置や他のセンサ等から、睡眠者ＰＳの生体情報又はニオイレベルを特定する情報を取得してもよい。また、係る場合、コントローラ７０（睡眠状態判定部７４）は、他の装置や他のセンサ等から睡眠者ＰＳの睡眠状態情報を取得してもよい。
【０１７５】
（８−１３）変形例Ｍ
上記実施形態では、空気清浄ユニット４５の脱臭エレメント４８が「ニオイ除去部」として機能していた。しかし、脱臭エレメント４８以外のユニットを配置して「ニオイ除去部」として機能させてもよい。例えば、脱臭エレメント４８に代えて／脱臭エレメント４８とともに、消臭効果のあるイオンを生じさせるイオン発生器や消臭作用のある消臭剤が第１空気流路２３１上に配置されてもよい。
【０１７６】
（８−１４）変形例Ｎ
上記実施形態では、枕部１０と本体ケーシング２０とは別体に構成された。しかし、本体ケーシング２０は、枕部１０と一体に構成されてもよい。係る場合、ニオイ調整装置１００の持ち運びがさらに容易となり、利便性及び汎用性が向上する。なお、本体ケーシング２０内に含まれる機器が、枕部１０内に配置される場合には、本体ケーシング２０については適宜省略可能である。
【０１７７】
（８−１５）変形例Ｏ
上記実施形態では、ファンユニット３０によって生成される空気流ＡＦの風量が、弱・中・強の３段階で切り換えられるように送風ファン３１の回転数が制御されていた。しかし、ファンユニット３０によって生成される空気流ＡＦの風量が、３段階以上のバリエーションで切り換えられるように送風ファン３１の回転数が制御されてもよい。係る場合、空気流ＡＦの風量をさらに詳細に切り換えることが可能となり、睡眠者ＰＳに送られる空気流ＡＦのニオイ調整をさらに詳細に行うことが可能となる。また、睡眠者ＰＳに対して間欠的に空気流ＡＦが送られるように送風ファン３１を間欠運転させることで、ニオイ調整がさらに詳細に行われてもよい。
【０１７８】
（８−１６）変形例Ｐ
空気清浄ユニット４５は、空気流ＡＦから塵埃を除去するフィルタ（プレフィルタ４６及びＨＥＰＡフィルタ４７）を含んでいたが、係るフィルタについては適宜省略されてもよい。すなわち、空気清浄ユニット４５に脱臭エレメント４８が含まれていれば、空気流ＡＦからニオイを除去することで睡眠者ＰＳに送られる空気流ＡＦのニオイを調整することが可能であり、睡眠促進効果が実現されうる。
【０１７９】
（８−１７）変形例Ｑ
上記実施形態では、ファンユニット３０は、本体ケーシング２０内に配置された。しかし、ファンユニット３０は、必ずしも本体ケーシング２０内に配置される必要はなく他の装置内に配置されてもよい。例えば、ファンユニット３０は、枕部１０内に配置されてもよいし、独立して配置されてもよい。
【０１８０】
（８−１８）変形例Ｒ
上記実施形態において、ニオイ調整装置１００は、入力部８０及び表示部９０を有していた。しかし、入力部８０及び表示部９０については、ニオイ調整装置１００に必ずしも含まれる必要はなく、適宜省略されてもよい。係る場合、ユーザが所有する機器（例えばスマートフォンやタブレットＰＣ等）を入力部８０又は表示部９０として機能させてもよい。
【０１８１】
（８−１９）変形例Ｓ
上記実施形態において、枕部１０の外面には、給気口１１から流入した空気流ＡＦを流出させるための送風口１２が３つ形成されていた。係る送風口１２の数は、設計仕様に応じて適宜変更が可能であり、４個以上であってもよいし、２個以下であってもよい。
【０１８２】
（８−２０）変形例Ｔ
上記実施形態において、嗅覚疲労判定部７７は、睡眠者ＰＳが特定のニオイを供給されている状態において所定時間ｔ１経過する毎に段階（レベル）が１つずつ増加するように、睡眠者ＰＳの嗅覚疲労度（香りに対する感度の経時的変化）を判定していた。すなわち、嗅覚疲労判定部７７は、睡眠者ＰＳの嗅覚疲労度をリアルタイムに判定（推定）していた。しかし、嗅覚疲労判定部７７が睡眠者ＰＳの嗅覚疲労を判定する方法については、必ずしも係る態様には限定されず、使用環境や設置環境に応じて適宜変更が可能である。
【０１８３】
例えば、嗅覚疲労判定部７７は、睡眠者ＰＳが所定の香りを供給されている状態において所定時間が経過した場合に、睡眠者ＰＳの嗅覚疲労が生じていると判定してもよい。係る場合、所定時間は、実験や公知文献に基づく値に設定されればよい。
【産業上の利用可能性】
【０１８４】
本発明は、睡眠時に使用される空気供給装置に適用可能である。
【符号の説明】
【０１８５】
１０                ：枕部
１１                ：給気口
１２                ：送風口（空気供給口）
１３                ：空気流路
１４                ：貫通口
２０                ：本体ケーシング
２１                ：吸込口
２２                ：排気口
２３                ：空気流路
２４                ：仕切板
２５                ：ダンパ
３０                ：ファンユニット（空気供給部）
３１                ：送風ファン（送風機）
３２                ：ファンロータ
３３                ：ファンモータ
４０                ：ニオイ調整ユニット（ニオイ調整部）
４５                ：空気清浄ユニット（ニオイ除去部）
４６                ：プレフィルタ
４７                ：ＨＥＰＡフィルタ
４８                ：脱臭エレメント
５０                ：香り付加ユニット（香り付与部）
５１                ：ユニットケーシング
５２                ：香りカプセル
５３                ：香りカプセル補充容器
６０                ：生体センサ
６５                ：ニオイセンサ
７０                ：コントローラ（空気供給部）
７１                ：記憶部
７２                ：入力制御部（起床時刻取得部）
７３                ：時刻管理部
７４                ：睡眠状態判定部（睡眠状態情報取得部）
７５                ：起床制御部
７６                ：モード制御部
７７                ：嗅覚疲労判定部
７８                ：アクチュエータ制御部
７９                ：表示制御部
８０                ：入力部（起床時刻取得部）
９０                ：表示部
１００              ：ニオイ調整装置
２３１              ：第１空気流路
２３２              ：第２空気流路
ＡＦ                ：空気流
ＡＦ１              ：第１空気流
ＡＦ２              ：第２空気流
Ｃ１                ：配線
Ｄ１                ：ダクト（空気供給部）
ＰＳ                ：睡眠者
ＴＢ１              ：モードテーブル
ＴＢ２              ：処理テーブル
ΔＴｈ１            ：第１閾値
【先行技術文献】
【特許文献】
【０１８６】
【特許文献１】特許４３９０５３５号公報
【図１】
2018075290.tif 000003
【図２】
2018075290.tif 000004
【図３】
2018075290.tif 000005
【図４】
2018075290.tif 000006
【図５】
2018075290.tif 000007
【図６】
2018075290.tif 000008
【図７】
2018075290.tif 000009
【図８】
2018075290.tif 000010
【図９】
2018075290.tif 000011
【図１０】
2018075290.tif 000012
【図１１】
2018075290.tif 000013
【図１２】
2018075290.tif 000014
【図１３】
2018075290.tif 000015